(57)【要約】【課題】臭いの発生を抑制することができる小便器装置を提供することを目的とする。【解決手段】小便器のボウル部に水を供給する洗浄水供給手段と、液滴化された水を散水し、前記ボウル部の内部に生成されたアンモニアおよび前記ボウル部の周辺に存在するアンモニアの少なくともいずれかを溶解するアンモニア溶解手段と、を備え、前記アンモニア溶解手段が前記アンモニアを溶解するタイミングは、前記洗浄水供給手段が水を供給するタイミングとは異なることを特徴とする小便器装置が提供される。【選択図】図１
2015183503.tif 000002
【特許請求の範囲】
【請求項１】
小便器のボウル部に水を供給する洗浄水供給手段と、
液滴化された水を散水し、前記ボウル部の内部に生成されたアンモニアおよび前記ボウル部の周辺に存在するアンモニアの少なくともいずれかを溶解するアンモニア溶解手段と、
を備え、
前記アンモニア溶解手段が前記アンモニアを溶解するタイミングは、前記洗浄水供給手段が水を供給するタイミングとは異なることを特徴とする小便器装置。
【請求項２】
前記アンモニア溶解手段により前記液滴化された水が散水される前記ボウル部の領域は、前記洗浄水供給手段によっては水が供給されない前記ボウル部の領域のうちの少なくとも一部を含むことを特徴とする請求項１記載の小便器装置。
【請求項３】
前記アンモニア溶解手段が散水する水は、前記アンモニアを分解可能な機能水であることを特徴とする請求項１または２に記載の小便器装置。
【発明の詳細な説明】
【技術分野】
【０００１】
本発明の態様は、一般的に、小便器装置に関する。
【背景技術】
【０００２】
小便器装置から発生する臭いについて、小便器装置のボウル部を水で洗い流すだけでは、小便器装置の臭いを十分には除去できないことがある。そこで、小便器装置の臭いを除去する種々の脱臭装置が提案されている。小便器装置の臭いの主な発生源は、小便器装置に残存する尿が一般細菌により分解され生成されるアンモニアであると考えられている。
【０００３】
小便器装置の臭いを除去する方策の１つとして、一般細菌を殺菌することでアンモニア等による臭気の発生を抑制する殺菌水供給機能付便器ユニットが提案されている（特許文献１）。しかし、一般細菌を完全に殺菌することは困難である。この点において、特許文献１に記載された殺菌水供給機能付便器ユニットには、改善の余地がある。
【０００４】
また、穴内にカートリッジを装着した状態でフラッシュバルブを作動させたときに、空所内に流入する洗浄水によってカートリッジ内の洗浄剤が一部溶出して散水孔から尿受け凹所内に流出する男子用小便器の水洗装置がある（特許文献２）。しかし、特許文献２に記載された男子用小便器の水洗装置は、男子用小便器の洗浄時に洗浄水とともに男子用小便器内に洗浄剤を供給する。そのため、男子用小便器の使用後に男子用小便器内に残存する尿が一般細菌により分解されアンモニアが生成されることを抑制することはできない。
【先行技術文献】
【特許文献】
【０００５】
【特許文献１】特許第３４８０１７３号公報
【特許文献２】実用新案登録第３０８１６０５号公報
【発明の概要】
【発明が解決しようとする課題】
【０００６】
本発明は、かかる課題の認識に基づいてなされたものであり、臭いの発生を抑制することができる小便器装置を提供することを目的とする。
【課題を解決するための手段】
【０００７】
第１の発明は、小便器のボウル部に水を供給する洗浄水供給手段と、液滴化された水を散水し、前記ボウル部の内部に生成されたアンモニアおよび前記ボウル部の周辺に存在するアンモニアの少なくともいずれかを溶解するアンモニア溶解手段と、を備え、前記アンモニア溶解手段が前記アンモニアを溶解するタイミングは、前記洗浄水供給手段が水を供給するタイミングとは異なることを特徴とする小便器装置である。
【０００８】
この小便器装置によれば、洗浄水供給手段は、小便器のボウル部に付着した尿を除去し、例えば体毛などの異物を除去することができる。また、洗浄水供給手段は、小便器のトラップ部の内部の封水を新たに供給された水で置換することができる。アンモニア溶解手段は、ボウル部の内部に生成されたアンモニアおよびボウル部の周辺に存在するアンモニアの少なくともいずれかを溶解する。これにより、小便器から発生するアンモニアによる臭いを抑制することができる。
【０００９】
また、この小便器装置によれば、アンモニア溶解手段は、液滴化された水を散水し、アンモニアを効率的に溶解することができる。これにより、小便器から発生するアンモニアによる臭いをより抑制することができる。
【００１０】
また、液滴化された水を散水することにより、ボウル部の表面にあるアンモニア発生源付近のアンモニアによる臭いを抑制することができることに加え、液滴が空間を通過する際に、空間中に存在するアンモニアによる臭いをも抑制することができる。さらに、単位水量あたりの水の表面積については、ボウル部の表面を伝う水の状態よりも、液滴化された水において著しく広くすることができる。結果、水がアンモニアと接触する面積を増やし、効率的に臭いを抑制することができる。空間中に存在する臭いは、尿を起因とするアンモニアのみならず、使用者が排尿した後の尿そのものの臭い（例えばコーヒー臭などのような摂取した食物由来の臭い）もある。その臭いについても、液滴化された水の散水により臭いを抑制することができる。
【００１１】
この小便器装置によれば、小便器から発生するアンモニアによる臭いを効率的に抑制することができる。
【００１２】
第２の発明は、第１の発明において、前記アンモニア溶解手段により前記液滴化された水が散水される前記ボウル部の領域は、前記洗浄水供給手段によっては水が供給されない前記ボウル部の領域のうちの少なくとも一部を含むことを特徴とする小便器装置である。
【００１３】
この小便器装置によれば、アンモニア溶解手段は、洗浄水供給手段によっては水が供給されない領域のうちの少なくとも一部に水を散水することができる。そのため、洗浄水供給手段によっては水が供給されない領域に付着した尿を起因とするアンモニアによる臭いを抑制することができる。
【００１４】
第３の発明は、第１または２の発明において、前記アンモニア溶解手段が散水する水は、前記アンモニアを分解可能な機能水であることを特徴とする小便器装置である。
【００１５】
この小便器装置によれば、機能水は、アンモニアを溶解し分解することができる。これにより、例えばアンモニアを溶解した水が小便器の周りに付着し蒸発しても、アンモニアによる臭いが再び発生することを抑制することができる。
【発明の効果】
【００１６】
本発明の態様によれば、臭いの発生を抑制することができる小便器装置が提供される。
【図面の簡単な説明】
【００１７】
【図１】本発明の実施の形態にかかる小便器装置の要部構成を表すブロック図である。
【図２】本実施形態の第２の洗浄水供給手段の設置形態を例示する模式的斜視図である。
【図３】本実施形態の第２の洗浄水供給手段の他の設置形態を例示する模式的斜視図である。
【図４】本実施形態のボウル部に供給される水の領域を表す模式的斜視図である。
【図５】本実施形態の第２の洗浄水供給手段が吐出する水の形状を説明する模式図である。
【図６】本実施形態の第２の洗浄水供給手段が吐出する水の他の形状を説明する模式図である。
【図７】本実施形態の第１の洗浄水供給手段および第２の洗浄水供給手段の具体例を例示する模式図である。
【図８】本実施形態にかかる小便器装置の動作を例示するタイミングチャート図である。
【図９】本発明者が実施した検討の結果の一例を表すグラフ図である。
【図１０】本発明者が実施した他の検討の結果の一例を表すグラフ図である。
【図１１】本発明者が実施したさらに他の検討の結果の一例を表すグラフ図である。
【図１２】本発明者が実施したさらに他の検討の結果の一例を表すグラフ図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかる小便器装置の要部構成を表すブロック図である。  なお、図１は、水路系と電気系との要部構成を併せて表している。
【００１９】
本実施形態にかかる小便器装置１００は、第１の洗浄水供給手段１４０と、第２の洗浄水供給手段（アンモニア溶解手段、洗浄水散水手段）１６０と、小便器１７０と、を備える。本実施形態にかかる小便器装置１００は、制御部１１０と、人体検知手段１２０と、流路切替弁１３０と、機能水生成手段１５０と、を備えていてもよい。
【００２０】
小便器１７０は、男子用小便器である。小便器１７０は、ボウル部１７１（図２および図３参照）と、トラップ部１７３（図５参照）と、を有する。トラップ部１７３は、ボウル部１７１の下部に設けられ、トラップ部１７３自身の内部において封水を形成する。これにより、トラップ部１７３は、小便器装置１００の後方に設けられた図示しない横引排水配管などから悪臭や害虫類などがトイレ室などに侵入することを防止することができる。トラップ部１７３には、尿および水が流れ込む。
【００２１】
流路切替弁１３０は、制御部１１０から送信された信号に基づいて、図示しない給水源（例えば水道あるいはタンクなど）から供給された水が第１の洗浄水供給手段１４０へ導かれる状態と、給水源から供給された水が第２の洗浄水供給手段１６０へ導かれる状態と、を切り替える。
【００２２】
第１の洗浄水供給手段１４０は、スプレッダ１４１を有し、流路切替弁１３０を介して給水源から供給された水を小便器１７０のボウル部１７１に供給する。
【００２３】
第２の洗浄水供給手段１６０は、散水部１６１を有し、流路切替弁１３０を介して給水源から供給された水であって液滴化された水を散水部１６１から小便器１７０のボウル部１７１に供給する。散水部１６１から小便器１７０のボウル部１７１に供給された水は、アンモニアを溶解することができる。第２の洗浄水供給手段１６０が散水する液滴化された水の径は、例えば約１０マイクロメートル（μｍ）以上１２０００μｍ以下である。第２の洗浄水供給手段１６０が散水する液滴化された水の径の詳細については、後述する。
【００２４】
ここで、アンモニアの発生のメカニズムは、例えば次の通りである。  
すなわち、便器に排尿がなされると、尿は、便器の表面に付着したり、トラップ部の封水（滞留水）に滞留する。滞留した尿に、空気中や便器表面等に存在する一般細菌が付着する。一般細菌は尿から栄養を吸収し、ウレアーゼ酵素を出す活動が活性化され、ウレアーゼ酵素より尿素の分解抑制が促進される。尿素はアンモニアと二酸化炭素に分解され、そのアンモニアが悪臭の一因となる。また、発生したアンモニアにより、分解物の水素イオン濃度（ｐＨ）がアルカリ性に偏り、ｐＨが８．０から８．５を超えてアルカリ性に偏ると、尿中に溶解していたカルシウムイオンが、難溶性のカルシウム化合物（リン酸カルシウム等、また一般的に尿石と呼ばれる）になる。この尿石が菌の温床となり、加速度的にこれまでの過程を繰り返し、一層のアンモニアを発生させることとなる。
【００２５】
機能水生成手段１５０は、制御部１１０から送信された信号に基づいて、流路切替弁１３０を介して給水源から供給された水により機能水を生成することができる。機能水は、アンモニアを溶解および分解することができる。
【００２６】
例えば、機能水生成手段１５０は、図示しない陽極板および図示しない陰極板を内部に有し、制御部１１０から送信される信号に基づいて、内部を流れる水道水や雑用水を電気分解できる。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成装置１５０において電気分解された水（電解水）は、次亜塩素酸を含む液（機能水）に変化する。  
次亜塩素酸は、消臭成分あるいは殺菌成分として機能する。次亜塩素酸を含む液は、アンモニアを溶解したり、分解したり、あるいは一般細菌などを殺菌したりすることができる。
【００２７】
なお、本実施形態の機能水生成手段１５０は、次亜塩素酸を含む液を生成することに限定されるわけではない。機能水生成手段１５０において生成される機能水は、銀イオンや銅イオンなどの金属イオンを含む液であってもよい。あるいは、機能水生成手段１５０において生成される機能水は、電解塩素やオゾンなどを含む液であってもよい。あるいは、機能水生成手段１５０において生成される機能水は、酸性水やアルカリ水であってもよい。これらの中でも、次亜塩素酸を含む溶液は、アンモニアをより溶解および分解することができる。また、機能水生成手段１５０は、陽極板および陰極板を有する電解槽ユニットに限定されるわけではない。
【００２８】
機能水生成手段１５０が制御部１１０から送信される信号に基づいて機能水を生成する場合には、第２の洗浄水供給手段１６０は、機能水生成手段１５０において生成された機能水を散水部１６１から小便器１７０のボウル部１７１に供給する。  
一方で、機能水生成手段１５０が機能水を生成しない場合には、第２の洗浄水供給手段１６０は、流路切替弁１３０および機能水生成手段１５０を介して給水源から供給された水（この水を真水と呼ぶ。真水は給水源から供給される水道水や雑用水である。）を散水部１６１から小便器１７０のボウル部１７１に供給する。
【００２９】
人体検知手段１２０は、小便器１７０の前方にいる使用者、すなわち小便器１７０から前方へ離間した位置に存在する使用者を検知することができる。このような人体検知手段１２０としては、例えば、赤外線投受光式の測距センサや、焦電センサや、ドップラーセンサなどのマイクロ波センサなどを用いることができる。
【００３０】
本実施形態によれば、第２の洗浄水供給手段１６０は、小便器１７０のボウル部１７１に水を供給し、ボウル部１７１の内部に生成されたアンモニアおよびボウル部１７１の周辺に存在するアンモニアの少なくともいずれかを溶解および分解する。ボウル部１７１の周辺に存在するアンモニアとは、例えば、ボウル部１７１の周辺に漂うアンモニアあるいはボウル部１７１の周辺に浮遊しているアンモニアをいう。これにより、第２の洗浄水供給手段１６０は、小便器装置１００から発生するアンモニアによる臭いを抑制することができる。また、第１の洗浄水供給手段１４０は、小便器１７０のボウル部１７１に水を供給し、小便器１７０に付着した尿を除去し、例えば体毛などの異物を除去することができる。また、第１の洗浄水供給手段１４０は、小便器１７０のトラップ部１７３に水を供給し、トラップ部１７３の内部の封水を新たに供給された水で置換することができる。
【００３１】
第２の洗浄水供給手段１６０から散水された水であって液滴化された水は、ボウル部１７１の内部に生成されたアンモニアおよびボウル部１７１の周辺に存在するアンモニアの少なくともいずれかを効率的に溶解する。これにより、第２の洗浄水供給手段１６０が液滴化された水を散水部１６１から小便器１７０のボウル部１７１に散水する場合には、小便器装置１００から発生するアンモニアによる臭いをより抑制することができる。
【００３２】
第２の洗浄水供給手段１６０から散水された機能水は、ボウル部１７１の内部に生成されたアンモニアおよびボウル部１７１の周辺に存在するアンモニアの少なくともいずれかを溶解し分解する。これにより、第２の洗浄水供給手段１６０が機能水を散水する場合には、例えばアンモニアを溶解した水が小便器１７０の周りに付着し蒸発しても、アンモニアによる臭いが再び発生することを抑制することができる。
【００３３】
前述したように、第２の洗浄水供給手段１６０が散水する液滴化された水の径は、約１０μｍ以上である。これにより、第２の洗浄水供給手段１６０から散水された液滴が空間を浮遊し続ける程度が低くなり、意図しない空間まで飛散することを抑制することができる。そのため、第２の洗浄水供給手段１６０から散水された液滴により、使用者が濡れたり、小便器１７０の周りが濡れることを抑制することができる。また、第２の洗浄水供給手段１６０が散水する液滴化された水の径は、約１２００μｍ以下である。これにより、第２の洗浄水供給手段１６０から散水された液滴が比較的早く落下し、アンモニアを溶解する効果が低下することを抑制することができる。
【００３４】
ここで、水の径の数値の定義について述べる。第２の洗浄水供給手段１６０から散水される水の径は、一般的に一定の範囲を持っている。粒径の積算％の分布曲線が５０％の横軸と交差するポイントの粒子径を５０％径（一般的にメディアン径と呼ばれる）を、水の径とする。
【００３５】
図２は、本実施形態の第２の洗浄水供給手段の設置形態を例示する模式的斜視図である。  
図２に表したように、例えば、第２の洗浄水供給手段１６０の散水部１６１は、小便器１７０のボウル部１７１の上部に設けられている。散水部１６１は、ボウル部１７１の下方へ液滴化された水を散水する。ここでいう「下方」とは、鉛直方向の下向きに限定されず、水平方向から下側の方向を含む。つまり、ここでいう「下方」とは、水平方向および水平方向よりも上側の方向を除く方向をいう。
【００３６】
これによれば、散水部１６１がボウル部１７１の上部から下方へ液滴化された水を散水するため、ボウル部１７１の内部には、散水部１６１から下方へ向かう気流が発生する。そのため、ボウル部１７１の内部で発生した気流は、アンモニアの上昇を抑えることができる。また、散水部１６１から散水された水は、アンモニアを溶解する。さらに、散水された水が次亜塩素酸を含む機能水である場合には、アンモニアの溶解に加え、アンモニアを無臭物質に分解する。これにより、使用者は、小便器装置１００から発生するアンモニアによる臭いを感じにくくなる。
【００３７】
また、液滴化された水を散水することにより、ボウル部１７１の表面にあるアンモニア発生源付近のアンモニアによる臭いを抑制することができることに加え、液滴が空間を通過する際に、空間中に存在するアンモニアによる臭いをも抑制することができる。さらに、単位水量あたりの水の表面積については、第１の洗浄水供給手段１４０から供給されるボウル部１７１の表面を伝う水の状態よりも、液滴化された水において著しく広くすることができる。結果、水がアンモニアと接触する面積を増やし、効率的に臭いを抑制することができる。空間中に存在する臭いは、尿を起因とするアンモニアのみならず、使用者が排尿した後の尿そのものの臭い（例えばコーヒー臭などのような摂取した食物由来の臭い）もある。その臭いについても、液滴化された水の散水により臭いを抑制することが可能である。
【００３８】
図３は、本実施形態の第２の洗浄水供給手段の他の設置形態を例示する模式的斜視図である。  
図３に表したように、例えば、第２の洗浄水供給手段１６０の散水部１６１は、小便器１７０のボウル部１７１の下部に設けられている。散水部１６１は、ボウル部１７１の上方へ液滴化された水を散水する。ここでいう「上方」とは、鉛直方向の上向きに限定されず、水平方向から上側の方向を含む。つまり、ここでいう「上方」とは、水平方向および水平方向よりも下側の方向を除く方向をいう。
【００３９】
これによれば、散水部１６１がボウル部１７１の下部から上方へ液滴化された水を散水するため、散水部１６１から散水された水のうちの少なくとも一部は、ボウル部１７１の外側に漂うことができる。ボウル部１７１の外側に漂う水は、ボウル部１７１の外側に存在するアンモニアガスを溶解することができる。これにより、使用者は、小便器１７０の臭いだけではなく、小便器１７０の周りの臭いを感じにくくなる。
【００４０】
図４は、本実施形態のボウル部に供給される水の領域を表す模式的斜視図である。  
図４（ａ）は、本実施形態の第１の洗浄水供給手段１４０からボウル部１７１に供給される水の領域を表す模式的斜視図である。図４（ｂ）は、本実施形態の第２の洗浄水供給手段１６０からボウル部１７１に供給される水の領域を表す模式的斜視図である。
【００４１】
図４（ａ）に表したように、例えば、第１の洗浄水供給手段１４０のスプレッダ１４１は、小便器１７０のボウル部１７１の上部に設けられている。なお、スプレッダ１４１の設置形態は、図４（ａ）に表した例に限定されるわけではない。図４（ａ）に表した第１の領域１７１ａのように、スプレッダ１４１は、ボウル部１７１の略中央部に水を供給する。つまり、第１の領域１７１ａは、第１の洗浄水供給手段１４０のスプレッダ１４１から供給される水により洗浄されるボウル部１７１の内部の領域である。
【００４２】
ボウル部１７１の内部において第１の領域１７１ａの左右両側（横側）には、第２の領域１７１ｂが存在する。第２の領域１７１ｂは、第１の洗浄水供給手段１４０のスプレッダ１４１から供給される水によっては洗浄されないボウル部１７１の内部の領域である。ボウル部１７１の内部においてリップ部１７５には、第３の領域１７１ｃが存在する。第３の領域１７１ｃは、第２の領域１７１ｂと同様に、第１の洗浄水供給手段１４０のスプレッダ１４１から供給される水によっては洗浄されないボウル部１７１の内部の領域である。本願明細書において「リップ部」とは、小便器１７０の側面１７９から前方へ突出した部分をいう。
【００４３】
図２に関して例示したように、例えば、第２の洗浄水供給手段１６０の散水部１６１は、小便器１７０のボウル部１７１の上部に設けられている。図４（ｂ）に表した第４の領域１７１ｄのように、散水部１６１は、ボウル部１７１の略全体に水を供給する。つまり、第４の領域１７１ｄは、ボウル部１７１の内部の領域であって、第２の洗浄水供給手段１６０の散水部１６１から供給される水の散水領域である。図４（ｂ）に表したように、第４の領域１７１ｄは、第２の領域１７１ｂのうちの少なくとも一部を含む。第４の領域１７１ｄは、第３の領域１７１ｃのうちの少なくとも一部を含む。
【００４４】
これによれば、第２の洗浄水供給手段１６０は、第１の洗浄水供給手段１４０によっては水が供給されない領域（第２の領域１７１ｂおよび第３の領域１７１ｃ）のうちの少なくとも一部に水を散水し供給することができる。そのため、第１の洗浄水供給手段１４０によっては水が供給されない領域に付着した尿から発生するアンモニアによる臭いを抑制することができる。これにより、小便器装置１００から発生するアンモニアによる臭いを抑制することができる。また、第１の洗浄水供給手段１４０によっては水が供給されない領域を洗浄することができる。
【００４５】
第２の洗浄水供給手段１６０が１回の動作でボウル部１７１に供給する水の量は、第１の洗浄水供給手段１４０が１回の動作でボウル部１７１に供給する水の量よりも少ない。第２の洗浄水供給手段１６０が１回の動作でボウル部１７１に供給する水の量は、例えば約２０ミリリットル（ｍＬ）以上１００ｍＬ以下程度である。第１の洗浄水供給手段１４０が１回の動作でボウル部１７１に供給する水の量は、例えば約０．４リットル（Ｌ）以上１．５Ｌ以下程度である。
【００４６】
これによれば、第２の洗浄水供給手段１６０は、第１の洗浄水供給手段１４０から供給される水によっては洗浄されないボウル部１７１の内部の領域（第２の領域１７１ｂおよび第３の領域１７１ｃ）のうちの少なくとも一部を比較的少量の水で効率的に洗浄することができる。そのため、節水を実現することができる。
【００４７】
使用者の排尿行為は、ボウル部１７１から尿が飛び出さないようボウル部１７１の左右中央領域になされるものである。従って、小便器１７０のボウル部１７１の左右中央領域上部に取り付けられたスプレッダ１４１の直下の領域には、使用者からの多量の尿が全面的に付着することとなる。第１の洗浄水供給手段１４０から、スプレッダ１４１の直下の領域に、多量の水を全面的に供給し尿をボウル部１７１から洗い流すことにより、尿を起因とするアンモニアガスの発生を抑制することができる。一方、スプレッダ１４１の横側を含む領域には、使用者からの尿の飛散りが局所的に付着することになる。
【００４８】
これに対して、図４（ｂ）に表したように、スプレッダ１４１は、スプレッダ１４１自身の横側の付近に水を散水し供給するため、スプレッダ１４１の横側の付近を洗浄することができる。そのため、スプレッダ１４１から散水された水は、使用者からの尿が局所的に付着し、その尿を起因とするアンモニアガスを溶解することができる。あるいは、スプレッダ１４１から散水された水は、スプレッダ１４１の付近で小便器１７０の表面を洗浄することができる。これにより、小便器装置１００から発生するアンモニアによる臭いを抑制することができる。
【００４９】
第１の洗浄水供給手段１４０から供給される水によっては洗浄されない領域には、第３の領域１７１ｃが含まれる。第３の領域１７１ｃは、リップ部１７５の先端部を含む。リップ部１７５には、尿が比較的付着しやすい。  
これに対して、第２の洗浄水供給手段１６０は、リップ部１７５の先端部に水を散水し供給することができる。これにより、小便器装置１００から発生するアンモニアによる臭いを抑制することができる。
【００５０】
第１の洗浄水供給手段１４０からボウル部１７１に供給された水は、ボウル部１７１の表面を伝って下方へ流れる。第２の洗浄水供給手段１６０からボウル部１７１に供給された水であってボウル部１７１の表面に付着した水は、ボウル部１７１の表面を伝って下方へ流れる。このとき、第２の洗浄水供給手段１６０からボウル部１７１に供給されボウル部１７１の表面を伝う水の速度は、第１の洗浄水供給手段１４０からボウル部１７１に供給されボウル部１７１の表面を伝う水の速度よりも遅い。また、第２の洗浄水供給手段１６０がボウル部１７１に供給する水は、液滴化された水である。
【００５１】
これによれば、第２の洗浄水供給手段１６０から供給されボウル部１７１の表面を伝う水は、第１の供給手段１４０から供給されボウル部１７１の表面を伝う水よりも、ボウル部１７１への接触時間を長くすることができ、尿への作用時間を長くすることができる。従って、比較的少ない流量の水でボウル部１７１の表面の汚れを洗い流し、ボウル部１７１を効率的に洗浄することができる。これにより、小便器装置１００から発生するアンモニアによる臭いを抑制することができる。
【００５２】
図５は、本実施形態の第２の洗浄水供給手段が吐出する水の形状を説明する模式図である。  
図５（ａ）は、本実施形態の小便器装置を側方からみたときの模式的断面図である。図５（ｂ）は、第２の洗浄水供給手段が吐出する水を図５（ａ）に表した矢印Ａの方向に眺めたときの模式的平面図である。
【００５３】
図５（ａ）および図５（ｂ）に表したように、第２の洗浄水供給手段１６０の散水部１６１から吐出された水の形状は、円錐形１６９を有する。図５（ａ）に表したように、第２の洗浄水供給手段１６０の散水部１６１から吐出される水の範囲（散水範囲あるいは散水範囲）は、ボウル部１７１の内部に収まる。つまり、第２の洗浄水供給手段１６０の散水部１６１から散水される水は、ボウル部１７１の外側へ直接的には進行しない。
【００５４】
これにより、散水部１６１から散水された水がボウル部１７１の外側に付着することが抑制される。そのため、散水部１６１から散水された水により、使用者が濡れたり、小便器１７０の周りが濡れることを抑制することができる。
【００５５】
図５（ａ）に表したように、第２の洗浄水供給手段１６０の散水部１６１は、ボウル部１７１の内側へ向かって水を散水する。言い換えれば、第２の洗浄水供給手段１６０の散水部１６１から散水された水は、ボウル部１７１の内側へ向かう指向を有する。具体的には、第２の洗浄水供給手段１６０の散水部１６１から散水された円錐形１６９の水の軸１６９ｃは、散水部１６１からみて後方へ向いている。
【００５６】
これによれば、散水部１６１から散水された水により、使用者が濡れたり、小便器１７０の周りが濡れることをより抑制することができる。また、第１の洗浄水供給手段１４０から供給された水によっては洗浄されない領域に尿が付着しても、第２の洗浄水供給手段１６０は、ボウル部１７１の表面に付着した尿を散水部１６１から散水された水で洗い流すことができる。これにより、小便器装置１００から発生するアンモニアによる臭いを抑制することができる。
【００５７】
散水部１６１は、小便器１７０のボウル部１７１の内部の領域であってボウル部１７１に対面した使用者の鼻の位置とトラップ部１７３との間のいずれかの領域に液滴化された水を散水する。本願明細書において「使用者の鼻の位置」とは、小便器装置１００が設置されたトイレ室の床面２０１から約１４０センチメートル（ｃｍ）以上１７０ｃｍ以下の範囲の高さの位置をいうものとする。なお、小便器装置１００は、必ずしもトイレ室の床面２０１に載置されるわけではなく、トイレ室の図示しない壁面に設置されることがある。この場合でも、本願明細書において「使用者の鼻の位置」とは、トイレ室の床面２０１から約１４０センチメートル（ｃｍ）以上１７０ｃｍ以下の範囲の高さの位置をいうものとする。
【００５８】
図６は、本実施形態の第２の洗浄水供給手段が吐出する水の他の形状を説明する模式図である。  
図６（ａ）は、本実施形態の小便器装置を側方からみたときの模式的断面図である。図６（ｂ）は、第２の洗浄水供給手段が吐出する水を図６（ａ）に表した矢印Ｂの方向に眺めたときの模式的平面図である。
【００５９】
図６（ａ）および図６（ｂ）に表したように、第２の洗浄水供給手段１６０の噴霧散水部１６１から吐出された水の形状は、扇形１６９ａを有する。第２の洗浄水供給手段１６０の散水部１６１は、ボウル部１７１の内側へ向かって水を散水する。言い換えれば、第２の洗浄水供給手段１６０の散水部１６１から散水された水は、ボウル部１７１の内側へ向かう指向を有する。具体的には、第２の洗浄水供給手段１６０の散水部１６１から散水された扇形１６９ａの水の軸１６９ｄは、噴霧散水部１６１からみて略下方へ向いている。他の吐出形態は、図５に関して前述した吐出形態と同様である。
【００６０】
これによれば、小便器１７０の壁面への散水量（ボウル部１７１の表面を伝う水）を減らし空間への散水を最大化することができる。これにより、ボウル部１７１の表面に付着した尿に起因するアンモニア発生源の洗浄よりも空間に存在する臭い成分の消臭を最大化することができる。
【００６１】
図５および図６に表した吐出形態によれば、散水部１６１から散水された水は、トラップ部１７３から発生するアンモニアを溶解する。さらに、散水された水が次亜塩素酸を含む機能水である場合には、アンモニアの溶解に加え、アンモニアを無臭物質に分解する。そのため、使用者は、トラップ部１７３から発生するアンモニアによる臭いを感じにくくなる。
【００６２】
図７は、本実施形態の第１の洗浄水供給手段および第２の洗浄水供給手段の具体例を例示する模式図である。  
図７（ａ）は、第１の洗浄水供給手段および第２の洗浄水供給手段の具体例を例示する模式的斜視図である。図７（ｂ）は、図７（ａ）に表した切断面Ａ１−Ａ１における模式的断面図である。図７（ｃ）は、図７（ａ）に表した切断面Ａ２−Ａ２における模式的断面図である。
【００６３】
図７（ａ）〜図７（ｃ）に表した具体例では、第１の洗浄水供給手段１４０および第２の洗浄水供給手段１６０は、互いに一体化されている。図７（ｂ）に表したように、第１の洗浄水供給手段１４０は、スプレッダ１４１を有する。スプレッダ１４１の内部には、スプレッダ流路１４３が設けられている。図７（ｂ）および図７（ｃ）に表したように、スプレッダ流路１４３の一端には、吐水口１４５が形成されている。スプレッダ流路１４３を通して導かれた水は、吐水口１４５から吐出され小便器１７０のボウル部１７１に供給される。
【００６４】
第２の洗浄水供給手段１６０は、散水部１６１と、チューブ１６３と、を有する。散水部１６１は、例えばノズルなどを有し、チューブ１６３の一端に接続されている。チューブ１６３を通して導かれた水あるいは機能水は、液滴化された水あるいは液滴化された機能水として散水部１６１から散水され小便器１７０のボウル部１７１に供給される。
【００６５】
図７（ａ）および図７（ｂ）に表したように、本具体例の第１の洗浄水供給手段および第２の洗浄水供給手段の内部には、人体検知手段１２０が設けられている。人体検知手段１２０については、図１に関して前述した通りである。  
なお、本実施形態では、第１の洗浄水供給手段１４０および第２の洗浄水供給手段１６０は、互いに一体化されていることに限定されるわけではない。
【００６６】
図８は、本実施形態にかかる小便器装置の動作を例示するタイミングチャート図である。  
まず、人体検知手段１２０が小便器１７０の前方において使用者を検知すると、制御部１１０は、第２の洗浄水供給手段１６０の動作を制御し、第２の洗浄水供給手段１６０の散水部１６１からボウル部１７１に水を供給する（タイミングｔ１）。つまり、第２の洗浄水供給手段１６０は、使用者が小便器１７０に近づき小便器１７０を使用する前の状態において散水部１６１からボウル部１７１に水を供給する（タイミングｔ１）。
【００６７】
続いて、人体検知手段１２０が小便器１７０の前方で静止した使用者を検知すると、制御部１１０は、第２の洗浄水供給手段１６０の動作を制御し、散水部１６１から散水される水を停止する（タイミングｔ２）。なお、制御部１１０は、人体検知手段１２０が小便器１７０の前方で静止した使用者を検知した信号に基づいてではなく、散水部１６１が散水した水の量に基づいて散水部１６１から散水される水を停止してもよい。
【００６８】
図８に表した第２の洗浄水供給手段１６０に関する「オン」は、第２の洗浄水供給手段１６０がボウル部１７１に水を供給する動作あるいは状態を表す。図８に表した第２の洗浄水供給手段１６０に関する「オフ」は、第２の洗浄水供給手段１６０がボウル部１７１に水を供給しない動作あるいは状態を表す。
【００６９】
続いて、使用者が排尿行為を終了し、人体検知手段１２０が小便器１７０の前方から遠ざかる使用者を検知すると、制御部１１０は、第１の洗浄水供給手段１４０の動作を制御し、第１の洗浄水供給手段１４０のスプレッダ１４１からボウル部１７１に水を供給する（タイミングｔ３）。所定の量の水がボウル部１７１に供給されると、制御部１１０は、第１の洗浄水供給手段１４０の動作を制御し、スプレッダ１４１から供給される水を停止する（タイミングｔ４）。
【００７０】
図８に表した第１の洗浄水供給手段１４０に関する「オン」は、第１の洗浄水供給手段１４０がボウル部１７１に水を供給する動作あるいは状態を表す。図８に表した第１の洗浄水供給手段１４０に関する「オフ」は、第１の洗浄水供給手段１４０がボウル部１７１に水を供給しない動作あるいは状態を表す。
【００７１】
続いて、使用者が小便器１７０の前方に存在しなくなったことを人体検知手段１２０が検知すると、制御部１１０は、機能水生成手段１５０および第２の洗浄水供給手段１６０の動作を制御し、機能水生成手段１５０において機能水を生成し、第２の洗浄水供給手段１６０の散水部１６１からボウル部１７１に機能水を供給する（タイミングｔ５）。所定の量の機能水がボウル部１７１に供給されると、制御部１１０は、機能水生成手段１５０および第２の洗浄水供給手段１６０の動作を制御し、散水部１６１から散水される機能水を停止する（タイミングｔ６）。
【００７２】
続いて、第１の洗浄水供給手段１４０がボウル部１７１に水を供給して（タイミングｔ３）から所定時間が経過すると、制御部１１０は、第１の洗浄水供給手段１４０の動作を制御し、第１の洗浄水供給手段１４０のスプレッダ１４１からボウル部１７１に水を供給する（タイミングｔ７）。所定の量の水がボウル部１７１に供給されると、制御部１１０は、第１の洗浄水供給手段１４０の動作を制御し、スプレッダ１４１から供給される水を停止する（タイミングｔ８）。これにより、小便器１７０のトラップ部１７３の内部の封水を新たに供給された水で置換することができる。
【００７３】
なお、タイミングｔ７〜ｔ８の動作は、第１の洗浄水供給手段１４０がボウル部１７１に水を供給した後（タイミングｔ４）から所定時間が経過したときに実行されてもよい。あるいは、タイミングｔ７〜ｔ８の動作は、第２の洗浄水供給手段１６０がボウル部１７１に機能水を供給して（タイミングｔ５）から所定時間が経過したときに実行されてもよい。あるいは、タイミングｔ７〜ｔ８の動作は、第２の洗浄水供給手段１６０がボウル部１７１に機能水を供給した後（タイミングｔ６）から所定時間が経過したときに実行されてもよい。
【００７４】
このように、第２の洗浄水供給手段１６０が散水部１６１からボウル部１７１に水を供給しアンモニアを溶解および分解するタイミングは、第１の洗浄水供給手段１４０がボウル部１７１に水を供給するタイミングとは異なる。これにより、小便器装置１００から発生するアンモニアによる臭いを効率的に抑制することができる。
【００７５】
また、タイミングｔ１の動作に関して前述したように、第２の洗浄水供給手段１６０は、使用者が小便器１７０に近づき小便器１７０を使用する前の状態において散水部１６１からボウル部１７１に水を供給する。これにより、使用者が小便器１７０に近づきアンモニアガスによる臭いを感ずる前に、第２の洗浄水供給手段１６０は、ボウル部１７１に水を供給しアンモニアガスによる臭いを抑制することができる。なお、小便器１７０の使用回数が一定以上となる場合、つまり一定時間間隔で連続する場合には、今回使用する使用者にとって、例えば、前回使用者のタイミングｔ５〜ｔ６の動作による第２の洗浄水供給手段１６０からの機能水の供給による効果は、タイミングｔ１〜ｔ２の動作による第２の洗浄水供給手段１６０からの機能水の供給による効果とほぼ同程度となる。したがって、タイミングｔ１〜ｔ２における機能水の供給およびタイミングｔ５〜ｔ６における機能水の供給のいずれかを省略することも可能である。また、ｔ１〜ｔ２の動作による第２の洗浄水供給手段１６０からの機能水の供給を省略することで、小便器１７０を今回使用する使用者に対して、確実に、散水された機能水による被水を防止することができ好適である。
【００７６】
なお、図８を参照しつつ説明した小便器装置１００の動作は、一例であり、これだけに限定されるわけではない。
【００７７】
次に、本発明者が実施した検討の結果の一例について、図面を参照しつつ説明する。  
図９は、本発明者が実施した検討の結果の一例を表すグラフ図である。  
本発明者は、体積が０．６立方メートル（ｍ３）の箱の中に疑似尿（アンモニア温水）を入れ、その箱に付設されたノズルから箱の中に水および機能水を散水させた。本発明者は、機能水として次亜塩素酸を含む液を使用した。次亜塩素酸の濃度は、約２．５ｐｐｍ（parts per million）程度である。
【００７８】
図９に表したグラフ図の縦軸は、箱の中のアンモニアの残存率（％）を表す。図９に表したグラフ図の横軸は、箱の中に水および機能水を散水させてから経過した時間（秒）を表す。図９に表したグラフ図では、箱の中に水および機能水を散水させる前のアンモニアの残存率を１００パーセント（％）としている。
【００７９】
水および機能水を散水させた後の箱の中のアンモニアの残存率の推移は、図９に表した通りである。すなわち、箱の中に水を散水させると、その箱の中のアンモニアは、水に溶解される。また、箱の中に機能水を散水させると、その箱の中のアンモニアは、機能水に溶解される。これにより、水および機能水は、比較的短時間で、アンモニアを溶解し除去できることが分かる。機能水は、水（ここでは真水）と比較すると、より多くの量のアンモニアを溶解し除去できることが分かる。これは、アンモニアをクロラミンという無臭物質に分解しているためである。つまり、機能水のアンモニアに対する消臭効果は、水（ここでは真水）のアンモニアに対する消臭効果よりも高い。
【００８０】
図１０は、本発明者が実施した他の検討の結果の一例を表すグラフ図である。  
本発明者は、小便器１７０のボウル部１７１に疑似尿（アンモニア温水）を入れ、そのボウル部１７１から発生する臭いのレベルの官能評価を行った。具体的には、本発明者は、７名の被験者を選定し、その７名の被験者のそれぞれに対して、ボウル部１７１から発生する臭いのレベルを１０段階で官能評価を行ってもらった。官能評価のタイミングは、疑似尿を小便器１７０のボウル部１７１に入れた後と、第１の洗浄水供給手段１４０がボウル部１７１に水を供給した後と、第２の洗浄水供給手段１６０がボウル部１７１に水を供給した後である。
【００８１】
本検討の結果は、図１０に表した通りである。すなわち、第１の洗浄水供給手段１４０からボウル部１７１に供給された水は、ボウル部１７１の表面に付着した尿を洗い流す。これにより、ボウル部１７１から発生する臭いのレベルを低下させることができる。また、第２の洗浄水供給手段１６０から供給された水は、ボウル部１７１の内部に生成されたアンモニアを溶解する。これにより、ボウル部１７１から発生する臭いのレベルをさらに低下させることができる。
【００８２】
図１１は、本発明者が実施したさらに他の検討の結果の一例を表すグラフ図である。  
図１１（ａ）は、アンモニアの濃度の測定位置を説明する模式的斜視図である。図１１（ｂ）は、第１の位置におけるアンモニアの濃度の推移を例示するグラフ図である。図１１（ｃ）は、第２の位置におけるアンモニアの濃度の推移を例示するグラフ図である。
【００８３】
本発明者は、約２ヶ月間にわたって小便器１７０のボウル部１７１のアンモニアの濃度を測定した。具体的には、本発明者は、約２ヶ月間にわたって１日に約１回の頻度で、ボウル部１７１に設けられた目皿１７７の上の約１０ミリメートル（ｍｍ）の位置（第１の位置）１７７ａと、リップ部１７５の先端の上の約１０ｍｍの位置（第２の位置）１７５ａと、におけるアンモニアの濃度を測定した。
【００８４】
本発明者は、２つの小便器１７０を用いて本検討を実施した。第１の小便器１７０ａでは、第１の洗浄水供給手段１４０は、ボウル部１７１に水を供給せず、第２の洗浄水供給手段１６０は、次亜塩素酸の濃度が約２．５ｐｐｍの機能水をボウル部１７１に供給する。第２の小便器１７０ｂでは、第１の洗浄水供給手段１４０および第２の洗浄水供給手段１６０は、ボウル部１７１に水を供給しない。
【００８５】
第１の小便器１７０ａでは、第２の洗浄水供給手段１６０は、第１の小便器１７０ａが使用される毎に機能水をボウル部１７１に散水する。第２の洗浄水供給手段１６０がボウル部１７１に供給する水の量は、１回あたり約６０ｍＬ程度である。本発明者は、本検討を開始する前に、第１の小便器１７０ａおよび第２の小便器１７０ｂをトイレ用洗剤を用いて洗浄した。本発明者は、検知管を用いてアンモニアの濃度を測定した。
【００８６】
第１の小便器１７０ａおよび第２の小便器１７０ｂにおけるアンモニアの濃度の推移は、図１１（ｂ）および図１１（ｃ）に表した通りである。すなわち、第１の洗浄水供給手段１４０および第２の洗浄水供給手段１６０がボウル部１７１に水を供給しないと、第１の位置１７７ａおよび第２の位置１７５ａにおけるアンモニアの濃度が上昇する（第２の小便器１７０ｂ）。また、第１の洗浄水供給手段１４０がボウル部１７１に水を供給しなくとも、第２の洗浄水供給手段１６０がボウル部１７１に水あるいは機能水を供給することで、第１の位置１７７ａおよび第２の位置１７５ａにおけるアンモニアの濃度の上昇を抑えることができる（第１の小便器１７０ａ）。
【００８７】
図１２は、本発明者が実施したさらに他の検討の結果の一例を表すグラフ図である。  
図１２（ａ）は、本検討の条件を説明する模式的斜視図である。図１２（ｂ）は、液滴化された水の径に対する水の飛散量を表すグラフ図である。  
図１２（ｂ）に表したグラフ図の縦軸は、飛び散り量（飛散量）（ｍＬ）を表す。図１２（ｂ）に表したグラフ図の横軸は、液滴化された水の径（μｍ）を表す。
【００８８】
本発明者は、散水部１６１が散水する液滴化された水の径の違いによる、水の飛散量の違いについて原理モデル環境での検討を行った。すなわち、本発明者は、孔２１１を有する板２１０と、感水紙２２０と、を用意した。孔２１１の径は、２０ｍｍ程度である。図１２（ａ）に表したように、本発明者は、板２１０からみて一方の側に散水部１６１を設置し、板２１０からみて他方の側に感水紙２２０を設置した。図１２（ａ）に表した状態において、本発明者は、散水部１６１から液滴化された水を散水させ、感水紙２２０に付着した水の量を測定した。
【００８９】
感水紙２２０に付着した水の量（飛び散り量：飛散量）は、図１２（ｂ）に表した通りである。すなわち、散水部１６１が散水した液滴化された水の径が１０μｍ以上１２００μｍ以下である場合には、感水紙２２０に付着した水の量は、１ｍＬよりも少ない。一方で、散水部１６１が散水した液滴化された水の径が１５００μｍである場合には、感水紙２２０に付着した水の量は、１ｍＬ以上である。
【００９０】
ここで、本発明者が得た知見によれば、感水紙２２０に付着した水の量（飛び散り量：飛散量）が１ｍＬ以上である場合には、実際の小便器設置環境では、水の飛び散りを認識することができる。そのため、使用者あるいは床への水の飛び散りを使用者に認識させないためには、液滴化された水の径は、１２００μｍ以下であることが好ましい。
【００９１】
また、液滴化された水の径が１０μｍよりも小さい場合には、その液滴化された水は、空間を漂ったり、空間を浮遊したりする程度が高くなる。そのため、使用者あるいは床への水の飛び散りを使用者に認識させないためには、液滴化された水の径は、１０μｍ以上であることが好ましい。
【００９２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、第１の洗浄水供給手段１４０および第２の洗浄水供給手段１６０などが備える各要素の形状、寸法、材質、配置などや第１の洗浄水供給手段１４０および第２の洗浄水供給手段１６０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９３】
１００ 小便器装置、  １１０ 制御部、  １２０ 人体検知手段、  １３０ 流路切替弁、  １４０ 洗浄水供給手段、  １４１ スプレッダ、  １４３ スプレッダ流路、  １４５ 吐水口、  １５０ 機能水生成手段、  １６０ 洗浄水供給手段、  １６１ 散水部、  １６３ チューブ、  １６９ 円錐形、  １６９ｃ 軸、  １７０、１７０ａ、１７０ｂ、１７０ｃ、１７０ｄ 小便器、  １７１ ボウル部、  １７１ａ 第１の領域、  １７１ｂ 第２の領域、  １７１ｃ 第３の領域、  １７１ｄ 第４の領域、  １７３ トラップ部、  １７５ リップ部、  １７５ａ 第２の位置、  １７７ 目皿、  １７７ａ 第１の位置、  １７９ 側面、  ２０１ 床面、  ２１０ 板、  ２１１ 孔、  ２２０ 感水紙
【図１】
2015183503.tif 000003
【図２】
2015183503.tif 000004
【図３】
2015183503.tif 000005
【図４】
2015183503.tif 000006
【図５】
2015183503.tif 000007
【図６】
2015183503.tif 000008
【図７】
2015183503.tif 000009
【図８】
2015183503.tif 000010
【図９】
2015183503.tif 000011
【図１０】
2015183503.tif 000012
【図１１】
2015183503.tif 000013
【図１２】
2015183503.tif 000014